(57)【要約】【課題】支持体と収納体の左右の隙間を一定に管理することのできる車両用小物収納装置の提供。【解決手段】支持体Ｐに収納体Ｂを開閉可能に取り付けて、該収納体をロック手段１を介してその閉塞状態にロックすると共に、ロック手段のロックを開操作子を介して解除することにより、収納体の開放方向への移動を許容する車両用小物収納装置において、支持体又は収納体の一方にスライダー３を昇降可能に設けると共に、該スライダーの背面側にリブ壁６を位置させ、支持体又は収納体の他方に上記スライダーを突出した状態で係止するロック溝１２を設けると共に、上記リブ壁を係入する位置決め溝１３を設けて、スライダーとロック溝との巾間隔よりもリブ壁と位置決め溝との巾間隔が小さくなるように設定することにより、支持体と収納体の左右の隙間を一定に管理できると共に、見栄えも良好となる。【選択図】          図４
2004324075.tif 000002
【特許請求の範囲】
【請求項１】
支持体に収納体を開閉可能に取り付けて、該収納体をロック手段を介してその閉塞状態にロックすると共に、ロック手段のロックを開操作子を介して解除することにより、収納体の開放方向への移動を許容する車両用小物収納装置において、支持体又は収納体の一方にスライダーを昇降可能に設けると共に、該スライダーの背面側にリブ壁を位置させ、支持体又は収納体の他方に上記スライダーを突出した状態で係止するロック溝を設けると共に、上記リブ壁を係入する位置決め溝を設けて、スライダーとロック溝との巾間隔よりもリブ壁と位置決め溝との巾間隔が小さくなるように設定したことを特徴とする車両用小物収納装置。
【請求項２】
リブ壁はスライダーの巾域内に納まっていることを特徴とする請求項１記載の車両用小物収納装置。
【請求項３】
リブ壁はスライダーの背面側に近接対峙して、収納体を閉塞する際に、スライダーが背面方向に押圧させた時には、スライダーの背面側に当接することを特徴とする請求項１乃至請求項２のいずれかに記載の車両用小物収納装置。
【請求項４】
スライダーとリブ壁とロック手段の開操作子は支持体側に設けられ、ロック溝と位置決め溝は収納体側に設けられて、位置決め溝は収納体の前壁の裏面側には開口し表面側には開口しておらず、収納体の前壁の上縁にロック手段の開操作子を左右の隙間を介在させて受け入れる凹部を形成したことを特徴とする請求項１記載の車両用小物収納装置。
【発明の詳細な説明】
【０００１】
【発明の属する技術分野】
本発明は、例えば、自動車のインストルメントパネル側に開閉可能に取り付けられるグローブボックスの如き、車両用小物収納装置に関するものである。
【０００２】
【従来の技術】
従来のグローブボックスは、具体的には図示しないが、インストルメントパネル側の空所に回動可能に軸支されて、そのロック手段を介して閉塞位置にロックされると共に、ロック手段によるロックを解除することにより、開放方向への回動が許容される構成となっている（例えば、特許文献１参照）。
【０００３】
【特許文献１】
特開２００１−１４６８７２号公報
【０００４】
【発明が解決しようとする課題】
この為、必然的に、インストルメントパネルの空所側壁とボックス本体の側壁間に左右の隙間が画成されることとなるが、その組付状態等によっては、ボックス本体の閉塞状態において、斯かる左右の隙間が一定とならずにバラつくことが生じるので、これに起因して、外観上の見栄えを著しく害する恐れがあった。
【０００５】
【課題を解決するための手段】
本発明は、斯かる従来の車両用小物収納装置が抱える課題を有効に解決するために開発されたもので、請求項１記載の発明は、支持体に収納体を開閉可能に取り付けて、該収納体をロック手段を介してその閉塞状態にロックすると共に、ロック手段のロックを開操作子を介して解除することにより、収納体の開放方向への移動を許容する車両用小物収納装置において、支持体又は収納体の一方にスライダーを昇降可能に設けると共に、該スライダーの背面側にリブ壁を位置させ、支持体又は収納体の他方に上記スライダーを突出した状態で係止するロック溝を設けると共に、上記リブ壁を係入する位置決め溝を設けて、スライダーとロック溝との巾間隔よりもリブ壁と位置決め溝との巾間隔が小さくなるように設定する構成を採用した。
【０００６】
請求項２記載の発明は、請求項１を前提として、リブ壁はスライダーの巾域内に納まる構成を採用した。
【０００７】
請求項３記載の発明は、請求項１乃至請求項２を前提として、リブ壁はスライダーの背面側に近接対峙して、収納体を閉塞する際に、スライダーが背面方向に押圧させた時には、スライダーの背面側に当接する構成を採用した。
【０００８】
請求項４記載の発明は、請求項１を前提として、スライダーとリブ壁とロック手段の開操作子は支持体側に設けられ、ロック溝と位置決め溝は収納体側に設けられて、位置決め溝は収納体の前壁の裏面側には開口し表面側には開口しておらず、収納体の前壁の上縁にロック手段の開操作子を左右の隙間を介在させて受け入れる凹部を形成する構成を採用した。
【０００９】
依って、請求項１記載の発明にあっては、収納体の閉塞ロック状態の下では、スライダーがロック溝に係止して、その閉塞ロック状態を確実に維持すると同時に、リブ壁の位置決め溝に対する係入により、収納体を確実に位置決めできるので、支持体と収納体との左右の隙間が一定となって、左右の隙間のバラツキを精度良く管理することが可能となると共に、スライダーとロック溝との巾間隔よりもリブ壁と位置決め溝との巾間隔が小さくなっているので、収納体の開放時には、リブ壁が見えにくく見栄えが良い。
【００１０】
請求項２記載の発明にあっては、リブ壁がスライダーの巾域内に納まっているので、収納体の開放時には、リブ壁が完全に見えなくなって、見栄えが更に向上する。請求項３記載の発明にあっては、スライダーの昇降動を滑らかに案内できると共に、強度と小型化の両立が可能となる。
【００１１】
請求項４記載の発明にあっては、位置決め溝が乗員側の反対方向へのみ開口することとなるので、位置決め溝が見えにくく、収納体の開放状態にあっても、それほど見栄えを害することがなくなると共に、ロック手段の開操作子と収納体側の凹部との左右の隙間が一定となるので、これをもっても、見栄えが向上することは言うまでもないが、結果的には、これに伴い、収納体自体をも確実に位置決めできるので、支持体と収納体の左右の隙間も一定となって、左右の隙間のバラツキを精度良く管理することが可能となる。
【００１２】
【発明の実施の形態】
以下、本発明を図示する好適な実施の形態に基づいて詳述すれば、該実施の形態に係る車両用小物収納装置も、自動車のインストルメントパネル側に開閉可能に取り付けられるグローブボックスを対象として開発されたもので、一応、そのボックス本体はインストルメントパネルの空所に回動可能に軸支されることを前提とするものであるが、本発明は、これに限定されるものではなく、インストルメントパネルの空所内に引き出し可能に取り付けられるものも包含するものである。
【００１３】
そして、本実施の形態に係る車両用小物収納装置は、支持体たるインストルメントパネルＰ側に対しては、ボックス本体Ｂをその閉塞状態にロックし且つボックス本体Ｂの開放方向への回動を許容するロック手段１を設け、収納体たるボックス本体Ｂの前壁Ｂａ上縁側に対しては、該ロック手段１の開操作子たる操作ハンドル５を左右の隙間を介在させて受け入れる凹部１１を形成する構成となっている。
【００１４】
上記ロック手段１は、図１に示す如く、インストルメントパネルＰ側に固定される箱状基体２と、該箱状基体２内に昇降動可能に支承されるテーパー肩３ａ付きスライダー３と、箱状基体２内に装着されて該スライダー３の先端部を箱状基体２から外方に突出させる圧縮コイルばね４と、スライダー３の先端部を圧縮コイルばね４のばね圧に抗して箱状基体２の内方に押し込むテーパー腕５ａ付き操作ハンドル５と、箱状基体２側に一体に設けられてスライダー３の背面側と近接対峙するリブ壁６とからなる構成となっている。尚、このリブ壁６は、図示する如く、スライダー３の巾に比べてかなり巾狭に設定されているので、組み立て時には、当該リブ壁６がスライダー３の巾域内にすっぽりと納まることとなる。
【００１５】
又、上記ボックス本体Ｂの前壁Ｂａ上縁側に形成される凹部１１は、ロック手段１の操作ハンドル５を受け入れるものであるが、図２に示す如く、その底面の内側寄りにスライダー３の先端部を外方に突出した状態で係止するロック溝１２と、該ロック溝１２と連通してリブ壁６を係入する位置決め溝１３とを設ける構成となっている。従って、上記した巾差で、スライダー３とロック溝１２との巾間隔よりもリブ壁６と位置決め溝１３との巾間隔の方が小さくなっている。
【００１６】
尚、特に、位置決め溝１３は、ボックス本体Ｂの前壁Ｂａの裏面側、即ち、乗員側から反対方向へのみ開口するだけで、ボックス本体Ｂの表面側には開口していないので、ボックス本体Ｂを開放した場合でも、それほど見栄えが害されることはない。更に、位置決め溝１３の両側壁上面にスライダー３を押し上げるテーパー面１４を形成すると共に、位置決め溝１３の開口両縁にリブ壁６の係入をガイドするテーパー面１５を形成するものとする。
【００１７】
依って、斯かる構成のグローブボックスの下で、開放状態にあるボックス本体Ｂを閉塞する場合には、ボックス本体Ｂを上方に回動することとなるが、この時には、ロック手段１側のスライダー３の先端部が圧縮コイルばね４のばね圧で下方に突出しているので、当該スライダー３の先端部は、図３に示す如く、位置決め溝１３の両側壁上面に形成されたテーパー面１４の作用で上方に押し上げられて、リブ壁６の位置決め溝１３内への係入を促すこととなる。尚、リブ壁６の位置決め溝１３への係入に際しては、位置決め溝１３の開口両縁に形成されたテーパー面１５で円滑にガイドされることとなる一方、スライダー３が押し上げられる過程では、該スライダー３の背面が同方向に押圧されながらリブ壁６に当接するので、スライダー３の昇降動を滑らかに案内できると共に、強度と小型化の両立が可能となる。
【００１８】
そして、ボックス本体Ｂをその最終的な閉塞位置まで回動すると、今度は、図４に示す如く、スライダー３の先端部が対応するテーパー面１４を乗り越えて、その圧縮コイルばね４のばね圧で、ロック溝１２内に降下してロック溝１２の位置決め溝１３と連通する内壁面に係止すると同時に、リブ壁６が位置決め溝１３内に完全に係入するので、これにより、図５に示す如く、ボックス本体Ｂがインストルメントパネル（図示せず）の空所に閉塞ロックされることとなる。
【００１９】
尚、このボックス本体Ｂの閉塞ロック状態にあっては、スライダー３がロック溝１２に係止して、その閉塞ロック状態を確実に維持すると同時に、リブ壁６の位置決め溝１３に対する係入により、ロック手段１の操作ハンドル５とボックス本体Ｂ側の凹部１１との左右の隙間が一定となるので、これをもっても、見栄えが向上することは言うまでもないが、結果的には、ボックス本体Ｂ自体をも確実に位置決めできるので、インストルメントパネルＰの空所側壁とボックス本体Ｂの左右の隙間も一定となって、左右の隙間のバラツキを精度良く管理することが可能となる。
【００２０】
次に、閉塞ロック状態にあるボックス本体Ｂを開放方向へ回動させる場合には、具体的には図示しないが、ロック手段１の操作ハンドル５をインストルメントパネル側に押圧すると、そのテーパー腕５ａとスライダー３のテーパー肩３ａとの摺接作用で、スライダー３を圧縮コイルばね４のばね圧に抗して上方に押し上げて、当該スライダー３の先端部のロック溝１２に対する係止状態を解除するので、ボックス本体Ｂはその自重により開放方向へ回動することが許容されることとなるが、この場合には、リブ壁６も位置決め溝１３から外れるので、これにより、図６に示す如く、ボックス本体Ｂが開放状態に置かれることとなる。
【００２１】
尚、このボックス本体Ｂの開放状態にあっては、ロック手段１がインストルメントパネルＰ側に残留することとなるが、リブ壁６はスライダー３の巾域内にすっぽりと納まって隠れているので、見栄えが向上する。又、ボックス本体Ｂの凹部１１の底面に形成されている位置決め溝１３は、乗員側の反対方向へのみ開口して、乗員側には開口していないので、位置決め溝１３が見えにくく、ボックス本体Ｂの開放状態にあっても、それほど見栄えを害する心配がない。
【００２２】
又、本実施の形態にあっては、インストルメントパネルＰ側にロック手段１を設け、ボックス本体Ｂ側にロック溝１２と位置決め溝１３を有する凹部１１を形成したものであるが、本発明は、これに限定されるものではなく、同様な原理の下で、逆に、インストルメントパネルＰ側に凹部１１を形成して、ボックス本体Ｂ側にロック手段１を設けることも実施に応じ任意である。更に、実施の形態は、グローブボックスを対象としたものであるが、本発明は、これも限定されるものではなく、眼鏡ケースやその他の車両用小物収納装置に応用できることもいうまでもない。
【００２３】
【発明の効果】
以上の如く、本発明は、上記構成の採用により、収納体の閉塞ロック状態の下では、スライダーがロック溝に係止して、その閉塞ロック状態を確実に維持すると同時に、リブ壁の位置決め溝に対する係入により、収納体を確実に位置決めできるので、支持体と収納体との左右の隙間が一定となって、左右の隙間のバラツキを精度良く管理することが可能となると共に、スライダーとロック溝との巾間隔よりもリブ壁と位置決め溝との巾間隔が小さくなっているので、収納体の開放時には、リブ壁が見えにくく見栄えが良い。
【図面の簡単な説明】
【図１】本発明の実施の形態に係る車両用小物収納装置に供されるロック手段を裏側から示す分解斜視図である。
【図２】実施の形態に係る車両用小物収納装置に供されるボックス本体の凹部構造をその前壁の裏面方向から示す要部斜視図である。
【図３】スライダーがテーパー面によって上方に押し上げられる状態を示す要部断面図である。
【図４】スライダーがロック溝に係止し且つリブ壁が位置決め溝に係入した状態を示す要部断面図である。
【図５】ボックス本体の閉塞状態を示す要部説明図である。
【図６】ボックス本体の開放状態を示す要部説明図である。
【符号の説明】
１    ロック手段
２    箱状基体
３    スライダー
３ａ  スライダーのテーパー肩
４    圧縮コイルばね
５    操作ハンドル（開操作子）
６    リブ壁
１１  凹部
１２  ロック溝
１３  位置決め溝
１４  テーパー面
１５  テーパー面
Ｐ    インストルメントパネル（支持体）
Ｂ    ボックス本体（収納体）
Ｂａ  ボックス本体の前壁
【図１】
2004324075.tif 000003
【図２】
2004324075.tif 000004
【図３】
2004324075.tif 000005
【図４】
2004324075.tif 000006
【図５】
2004324075.tif 000007
【図６】
2004324075.tif 000008